(57)【要約】【課題】パーマネントウェーブの形成具を、構造上簡素で、できるだけ軽量で、さらに、使用時の煩雑さをできるだけ減少させながら、頭髪に対し適切な熱の伝達ができるものにする。【解決手段】合成樹脂を主体として筒状に成形された蓄熱体Ｈであって、少なくとも筒一端１ａを開放させ、かつ、加熱用の棒体Ｒを密に納める内径を有し開放箇所よりこの棒体Ｒを内側に通して加熱されるようになっていると共に、外周部を頭髪の巻回部１ｃとしている。【選択図】図２
2007275233.tif 000002
【特許請求の範囲】
【請求項１】
合成樹脂を主体として筒状に成形された蓄熱体であって、少なくとも筒一端を開放させ、かつ、加熱用の棒体を密に納める内径を有し開放箇所よりこの棒体を内側に通して加熱されるようになっていると共に、外周部を頭髪の巻回部としたパーマネントウェーブ形成具。
【請求項２】
内周面が金属によって覆われていることを特徴とする請求項１記載のパーマネントウェーブ形成具。
【請求項３】
合成樹脂を主体として筒状に成形された蓄熱体であって、少なくとも筒一端を開放させ、かつ、内周面が金属によって覆われていると共に、外周部を頭髪の巻回部としたパーマネントウェーブ形成具。
【請求項４】
筒両端が共に開放されていることを特徴とする請求項１〜請求項３のいずれか１項に記載のパーマネントウェーブ形成具。
【請求項５】
回動軸を中心とした一方側を挟持端部とし、他方側を操作端部とするように、この回動軸によって組み合わされると共に、挟持端部をとじ合わせる向きに常時付勢された一対のクリップ構成体からなり、
挟持端部はその内側に、前記回動軸に直交する向きの断面において弧状をなし、かつ、この回動軸に沿った向きに長く続く溝状部を有しており、
しかも、少なくともクリップ構成体の挟持端部を合成樹脂を主体とした蓄熱体によって構成させていることを特徴とするパーマネントウェーブ形成具。
【請求項６】
溝状部内の面が金属によって覆われていることを特徴とする請求項５記載のパーマネントウェーブ形成具。
【発明の詳細な説明】
【技術分野】
【０００１】
この発明は、頭髪にパーマネントウェーブを付与する過程において用いられるこのウエーブの形成具の改良に関する。
【背景技術】
【０００２】
パーマネントウェーブを付与するにあたっては、典型的には次のような手順が採られている。
（１）頭髪に、一般に第一剤と称されるパーマ剤（典型的には、チオグリコール酸及びその塩類、または、システインとアルカリ剤の還元剤）をつける。
（２）次いで、ロッドと称される筒状体に頭髪を巻き付け、輪ゴムなどによる留め付けをなした状態において、かかるロッドを加熱し、一定時間放置する。
（３）最後に頭髪に、一般に第二剤と称されるパーマ剤（典型的には、臭素酸カリウムなどの酸化剤）をつける。
【０００３】
ここで前記ロッドとして、内部にヒータ体を備えたものがある。しかるに、こうしたロッドを用いた場合、頭髪を巻き付けた複数のロッドにそれぞれ電源コードが連なるという不便さがあった。
【発明の開示】
【発明が解決しようとする課題】
【０００４】
この発明が解決しようとする主たる問題点は、この種のパーマネントウェーブの形成具を、構造上簡素で、できるだけ軽量で、さらに、使用時の煩雑さをできるだけ減少させながら、頭髪に対し適切な熱の伝達ができるものとする点にある。
【課題を解決するための手段】
【０００５】
前記課題を達成するために、第一の発明にあっては、パーマネントウェーブの形成具を、合成樹脂を主体として筒状に成形された蓄熱体であって、少なくとも筒一端を開放させ、かつ、加熱用の棒体を密に納める内径を有し開放箇所よりこの棒体を内側に通して加熱されるようになっていると共に、外周部を頭髪の巻回部としたものとした。
【０００６】
かかる形成具は、合成樹脂を主体とすることから、効果的な蓄熱機能を有し、巻回された頭髪に対しパーマネントウェーブにおいて必要且つ十分な熱を伝達させる。形成具は重くなりすぎることはなく、また、形成具への電力の供給などは不要なことから、電源コードなどが接続されることもなく、形成具を頭髪に付けられた者への負担は軽減される。
【０００７】
かかる形成具の内周面を金属によって覆わせておけば、前記加熱用の棒体と形成具との熱交換を効率的に行わせることができる。
【０００８】
また、前記課題を達成するために、第二の発明にあっては、パーマネントウェーブの形成具を、合成樹脂を主体として筒状に成形された蓄熱体であって、少なくとも筒一端を開放させ、かつ、内周面が金属によって覆われていると共に、外周部を頭髪の巻回部としたものとした。
【０００９】
このように構成された形成具は、形成具をできるだけ軽量に構成させながら、電磁誘導加熱によっても温めることができるようにすることができる。
【００１０】
これら第一の発明および第二の発明において、形成具の筒両端が共に開放されたものとしておけば、前記加熱用の棒体に対する取り付けに方向性を生じさせないようにすることができる。
【００１１】
また、前記課題を達成するために、第三の発明にあっては、パーマネントウェーブの形成具を、回動軸を中心とした一方側を挟持端部とし、他方側を操作端部とするように、この回動軸によって組み合わされると共に、挟持端部をとじ合わせる向きに常時付勢された一対のクリップ構成体からなり、
挟持端部はその内側に、前記回動軸に直交する向きの断面において弧状をなし、かつ、この回動軸に沿った向きに長く続く溝状部を有しており、
しかも、少なくともクリップ構成体の挟持端部が合成樹脂を主体とした蓄熱体によって構成されているものとした。
【００１２】
かかる形成具は、前記第一の発明および第二の発明にかかる形成具や在来のパーマネントウェーブ付与の過程で用いられるロッドに頭髪を巻いた後、この頭髪を巻いた形成具などを一対の挟持端部によって挟み付けることにより、特に頭髪の根元側にパーマネントウェーブにおいて必要且つ十分な熱を伝達させることができる。かかる形成具の挟持端部は前記溝状部を有することから、前記頭髪を巻いた形成具などの外面に挟持端部の内面を沿わせるようにして前記挟み付けをなすことができる。かかる形成具も合成樹脂を主体とすることから、効果的な蓄熱機能を有し、また重くなりすぎることはない。
【００１３】
この第三の発明において、形成具の溝状部内の面を金属によって覆わせておけば、前記の加熱用の棒体などと形成具との熱交換を効率的に行わせることができる。また、このように構成された形成具は、電磁誘導加熱によっても温めることができるようになる。
【発明の効果】
【００１４】
この発明にかかるパーマネントウェーブの形成具は、合成樹脂を主体とした蓄熱体よりなることから、構造上簡素であり、また、できるだけ軽量に構成でき、それ自体が頭髪に熱を伝達させることから使用時の煩雑さなく頭髪に対し適切な熱の伝達ができる。
【発明を実施するための最良の形態】
【００１５】
以下、図１〜図７に基づいて、この発明を実施するための最良の形態について説明する。
【００１６】
なお、ここで図１〜図３は、実施の形態にかかるパーマネントウェーブ形成具の一例をそれぞれ示しており、図３は特にこの形成具１を加温させている様子を表している。また、図４〜図７は、パーマネントウェーブ形成具の他の一例をそれぞれ示している。
【００１７】
この実施の形態にかかるパーマネントウェーブ形成具は、頭髪にパーマネントウェーブを付与する過程において用いられるものである。なお、本明細書においてパーマネントウエーブとは、頭髪に長期に亘ってウエーブを形成させる手法一般を意味するものであり、医薬部外品としてのパーマ剤を使用する場合のみならず、これと同じような作用を持った化粧品などを使用する場合も含むものである。
【００１８】
図１〜図３に示される形成具１は、合成樹脂を主体として筒状に成形された蓄熱体Ｈであって、筒一端１ａを開放させ、筒他端１ｂを閉塞させたものとなっている。また、かかる形成具１は、加熱用の棒体Ｒを密に納める内径を有し、筒一端の開放箇所よりこの棒体Ｒを内側に通して加熱されるようになっている。そして、かかる形成具１の外周部が頭髪の巻回部１ｃとなっている。
【００１９】
具体的には、かかる形成具１は、略円筒状をなすように構成されている。その外周部は、その両筒端側で最も外径を太くし、この筒端側からその長さ方向略中程の位置に向かうに連れて次第に外径をやや小さくするように構成されている。筒両端にはそれぞれキャッスルナットの天端部の形状に似た輪ゴムなどの引っかけ部１ｄが形成されている。また、かかる外周部には、その円周方向において隣り合う溝１ｅとの間に間隔を開けるようにして、形成具１の長さ方向に沿って延びる溝１ｅが複数設けられている。
【００２０】
形成具１は、厚肉に構成され、体積に比し表面積をできるだけ小さくさせて、蓄熱機能を高めるように構成されている。かかる形成具１を、合成樹脂に金属粉末、鉱物粉末などを混ぜて構成させるようにすれば、形成具１の機能をより高めることができる。例えば、合成樹脂にゲルマニウムの粉末やセラミックの粉末、あるいは備長炭の粉末などを混ぜ、この合成樹脂によって形成具１を構成させたときは、形成具１にマイナスイオンの発生機能などの機能を持たせることができる。
【００２１】
加熱用の棒体Ｒは、典型的には、ヒータ体Ｒｂに棒下端を一体化されて上方に突き出す丸棒状のものが用いられる。典型的には、複数のこうした棒体Ｒを備えた加温装置によって複数の形成具１を同時に温めておき、必要な数分、棒体Ｒから形成具１を取り外して使用するようにする。
【００２２】
かかる形成具１は、合成樹脂を主体とすることから、効果的な蓄熱機能を有し、巻回された頭髪に対しパーマネントウェーブにおいて必要且つ十分な熱を伝達させる。形成具１は重くなりすぎることはなく、また、形成具１への電力の供給などは不要なことから、電源コードなどが接続されることもなく、形成具１を頭髪に付けられた者への負担は軽減される。
【００２３】
なお、形成具１の筒両端１ａ、1ｂを共に開放させておけば、加熱用の棒体Ｒに対する取り付けに方向性を生じさせないようにすることができる。
【００２４】
また、この実施の形態にあっては、かかる形成具１の内周面を金属によって覆うようにしている。
【００２５】
具体的には、この実施の形態にあっては、合成樹脂を主体として筒状をなすように構成された形成具主体１ｆの内側に、金属板から構成された筒状体１ｇをはめ込むようにして、かかる形成具主体１ｆの内周面をかかる筒状体１ｇによって覆うようにしている。かかる筒状体１ｇをインサートとして形成具主体１ｆを射出成形などにより成形するようにしても同様に形成具１を構成させることができる。
【００２６】
このようにした場合、加熱用の棒体Ｒと形成具１との熱交換を効率的に行わせることができる。
【００２７】
また、このように構成された形成具１は、形成具１をできるだけ軽量に構成させながら、電磁誘導加熱によっても温めることができるようにすることができる。
【００２８】
一方、図４〜図７に示される形成具２は、回動軸２１を中心とした一方側を挟持端部２０ａとし、他方側を操作端部２０ｅとするように、この回動軸２１によって組み合わされると共に、挟持端部２０ａをとじ合わせる向きに常時付勢された一対のクリップ構成体２０、２０から構成されている。
【００２９】
図示の例では、挟持端部２０ａは回動軸２１に沿った向きに長い板状をなすように構成されている。操作端部２０ｅは、この挟持端部２０ａの長さ方向沿った一方の縁部の長さ方向略中ほどの位置から側方に突き出す突片状をなすように構成されている。操作端部２０ｅの一面には、一対の軸受け部２０ｆ、２０ｆが形成されている。図示の例では、一対のクリップ構成体２０、２０の一方の一対の軸受け部２０ｆ、２０ｆの間にこの一対のクリップ構成体２０、２０の他方の一対の軸受け部２０ｆ、２０ｆを入れ込ませた状態で、各軸受け部２０ｆに形成された軸穴２０ｇに回動軸２１を挿し通して一対のクリップ構成体２０、２０を組み付け合わせている。回動軸２１には一対のクリップ構成体２０、２０の他方の一対の軸受け部２０ｆ、２０ｆ間においてねじりコイルバネ２２が巻装されており、このバネ２２の一端２２ａが一対のクリップ構成体２０、２０の他方の操作端部２０ｅに接し、かつ、このバネの他端２２ｂが一対のクリップ構成体２０、２０の一方の操作端部２０ｅに接した状態で一対のクリップ構成体２０、２０は挟持端部２０ａをとじ合わせていると共に、操作端部２０ｅを離れ出させている。操作端部２０ｅを近づける向きに操作するとバネ２２に蓄勢させながら挟持端部２０ａが開かれるようになっている。
【００３０】
また、かかる挟持端部２０ａはその内側に、前記回動軸２１に直交する向きの断面において弧状をなし、かつ、この回動軸２１に沿った向きに長く続く溝状部２０ｂを有している。
【００３１】
図示の例では、挟持端部２０ａは、外面側２０ｄを湾曲外側とするように湾曲された板状をなすように構成されている。これにより、挟持端部２０ａの内面側２０ｃにかかる溝状部２０ｂが形成されている。
【００３２】
また、かかる形成具２は、前記図１〜図３に示される形成具２と同様に、合成樹脂を主体とした蓄熱体Ｈによって構成されている。
【００３３】
かかる形成具２は、図１〜図３に示される形成具１や在来のパーマネントウェーブ付与の過程で用いられるロッドに頭髪を巻いた後、この頭髪を巻いた形成具１などを一対の挟持端部２０ａによって挟み付けることにより、特に頭髪の根元側にパーマネントウェーブにおいて必要且つ十分な熱を伝達させることができる。かかる形成具２の挟持端部２０ａは前記溝状部２０ｂを有することから、前記頭髪を巻いた形成具２などの外面に挟持端部２０ａの内面を沿わせるようにして前記挟み付けをなすことができる。かかる形成具２も合成樹脂を主体とすることから、効果的な蓄熱機能を有し、また重くなりすぎることはない。（図６、図７）
【００３４】
かかる形成具２は、図１〜図３に示される形成具２のように加熱用の棒体Ｒを一対の挟持端部２０ａで挟み付けるようにしてこの棒体Ｒに取り付けておくことで加温することができる。
【００３５】
この実施の形態にあっては、かかる形成具２の溝状部２０ｂ内の面をさらに金属によって覆っている。具体的には、挟持端部２０ａの溝状部２０ｂの内面にこれに倣うように湾曲させた金属板２３を備え付けさせている。
【００３６】
これにより、この例にあっては、前記の加熱用の棒体Ｒなどと形成具２との熱交換を効率的に行わせることができる。
【００３７】
また、このように構成された形成具２は、電磁誘導加熱によっても温めることができるようなる。
【図面の簡単な説明】
【００３８】
【図１】形成具１の斜視構成図
【図２】図１におけるＡ−Ａ線断面図
【図３】図１の形成具１の加温状態を示した断面構成図
【図４】形成具２の他の一例の分解斜視構成図
【図５】同斜視構成図
【図６】同使用状態を示した正面構成図
【図７】図６におけるＢ−Ｂ線断面図
【符号の説明】
【００３９】
Ｈ  蓄熱体
Ｒ  棒体
１ａ  筒一端
１ｃ  巻回部
【図１】
2007275233.tif 000003
【図２】
2007275233.tif 000004
【図３】
2007275233.tif 000005
【図４】
2007275233.tif 000006
【図５】
2007275233.tif 000007
【図６】
2007275233.tif 000008
【図７】
2007275233.tif 000009